(57)【要約】【課題】事前に情報入力をすることなく、視聴番組に関連する料理のメニュー情報および食材の在庫情報を用いてレシピ情報を提供可能な情報提供装置を得ること。【解決手段】利用者が視聴中の番組の情報を収集して番組情報サーバ３０に問い合わせ、番組内の料理のメニュー情報を収集する番組情報収集部１１と、冷蔵庫６０の在庫情報を収集する在庫情報収集部１２と、在庫情報を保存する食材情報管理部１５と、番組情報収集部１１からメニュー情報を取得し、食材情報管理部１５から在庫情報を取得し、メニュー情報および在庫情報に基づいて、該当するメニューのレシピをレシピサーバ２０に問い合わせてレシピ情報を取得し、提案するレシピ情報を決定するレシピ提案部１３と、レシピ提案部１３で決定されたレシピ情報を、ＴＶ４０、携帯電話５０、冷蔵庫６０に表示するレシピ表示取得部１４と、を備える。【選択図】図１
2015153286.tif 000002
【特許請求の範囲】
【請求項１】
利用者が視聴中の番組の情報を収集し、収集した番組情報を用いて番組情報サーバに問い合わせ、前記番組内の料理のメニュー情報を収集する番組情報収集手段と、
食材の保管庫の在庫情報を収集する在庫情報収集手段と、
前記在庫情報を保存する食材情報管理手段と、
前記番組情報収集手段から前記メニュー情報を取得し、前記食材情報管理手段から前記在庫情報を取得し、前記メニュー情報および前記在庫情報に基づいて、該当するメニューのレシピをレシピサーバに問い合わせてレシピ情報を取得し、提案するレシピ情報を決定するレシピ提案手段と、
前記レシピ提案手段で決定されたレシピ情報を、表示機能を有する機器に表示するレシピ表示取得手段と、
を備えることを特徴とする情報提供装置。
【請求項２】
前記レシピ提案手段は、在庫にある食材で調理可能なメニューのレシピ情報を、提案するレシピ情報とする、
ことを特徴とする請求項１に記載の情報提供装置。
【請求項３】
前記レシピ提案手段は、在庫の食材不足により提案するレシピ情報のメニューを調理できない場合、提案するレシピ情報とともに不足する食材の情報を前記レシピ表示取得手段へ通知し、
前記レシピ表示取得手段は、前記レシピ情報および前記不足する食材の情報を、前記機器に表示する、
ことを特徴とする請求項１に記載の情報提供装置。
【請求項４】
前記レシピ提案手段は、在庫の食材不足により提案するレシピ情報のメニューを調理できない場合、前記在庫情報を利用して作成可能なレシピを前記レシピサーバに問い合わせ、在庫にある他の食材を利用して調理可能なメニューのレシピ情報を提案する、
ことを特徴とする請求項１に記載の情報提供装置。
【請求項５】
前記レシピ提案手段は、前記レシピサーバにおいて各レシピ情報に評価情報が付与されている場合、前記在庫情報を利用して作成可能なレシピを前記レシピサーバに問い合わせ、在庫にある他の食材を利用して調理可能なメニューのレシピ情報が複数あるときは、評価の高いレシピ情報を、提案するレシピ情報とする、
ことを特徴とする請求項４に記載の情報提供装置。
【請求項６】
前記レシピ表示取得手段は、前記機器から利用者によって選択されたレシピ情報を取得して、履歴情報として前記食材情報管理手段に保存し、
前記レシピ提案手段は、さらに、前記食材情報管理手段から前記履歴情報を取得し、規定された期間において選択されていないレシピ情報を、提案するレシピ情報とする、
ことを特徴とする請求項１から５のいずれか１つに記載の情報提供装置。
【請求項７】
前記保管庫からの食材の出し入れの頻度を監視し、利用者の嗜好を推定する嗜好推定手段、
を備えることを特徴とする請求項１から６のいずれか１つに記載の情報提供装置。
【請求項８】
前記嗜好推定手段は、前記保管庫からの食材の出し入れの頻度を監視し、利用者の嗜好を推定し、
前記レシピ提案手段は、さらに、前記嗜好推定手段で推定された利用者の嗜好情報を取得し、利用者の好みにあった材料を使用したレシピ情報を提案する、
ことを特徴とする請求項７に記載の情報提供装置。
【請求項９】
利用者が視聴中の番組の情報を収集し、収集した番組情報を用いて番組情報サーバに問い合わせ、前記番組内の料理のメニュー情報を収集する番組情報収集ステップと、
食材の保管庫の在庫情報を収集する在庫情報収集ステップと、
取得した前記メニュー情報および前記在庫情報に基づいて、該当するメニューのレシピをレシピサーバに問い合わせてレシピ情報を取得し、提案するレシピ情報を決定するレシピ提案ステップと、
前記レシピ提案ステップで決定されたレシピ情報を、表示機能を有する機器に表示するレシピ情報表示ステップと、
を含むことを特徴とする情報提供方法。
【請求項１０】
前記レシピ提案ステップでは、在庫にある食材で調理可能なメニューのレシピ情報を、提案するレシピ情報とする、
ことを特徴とする請求項９に記載の情報提供方法。
【請求項１１】
前記レシピ提案ステップでは、在庫の食材不足により提案するレシピ情報のメニューを調理できない場合、提案するレシピ情報とともに不足する食材の情報を決定し、
前記レシピ情報表示ステップでは、前記レシピ情報および前記不足する食材の情報を、前記機器に表示する、
ことを特徴とする請求項９に記載の情報提供方法。
【請求項１２】
前記レシピ提案ステップでは、在庫の食材不足により提案するレシピ情報のメニューを調理できない場合、前記在庫情報を利用して作成可能なレシピを前記レシピサーバに問い合わせ、在庫にある他の食材を利用して調理可能なメニューのレシピ情報を提案する、
ことを特徴とする請求項９に記載の情報提供方法。
【請求項１３】
前記レシピ提案ステップでは、前記レシピサーバにおいて各レシピ情報に評価情報が付与されている場合、前記在庫情報を利用して作成可能なレシピを前記レシピサーバに問い合わせ、在庫にある他の食材を利用して調理可能なメニューのレシピ情報が複数あるときは、評価の高いレシピ情報を、提案するレシピ情報とする、
ことを特徴とする請求項１２に記載の情報提供方法。
【請求項１４】
利用者によって選択されたレシピ情報の履歴情報を取得して保存するレシピ保存ステップ、
を含み、
前記レシピ提案ステップでは、さらに、前記履歴情報を取得し、規定された期間において選択されていないレシピ情報を、提案するレシピ情報とする、
ことを特徴とする請求項９から１３のいずれか１つに記載の情報提供方法。
【請求項１５】
前記保管庫からの食材の出し入れの頻度を監視し、利用者の嗜好を推定する嗜好推定ステップ、
を含むことを特徴とする請求項９から１４のいずれか１つに記載の情報提供方法。
【請求項１６】
前記嗜好推定ステップでは、前記保管庫からの食材の出し入れの頻度を監視し、利用者の嗜好を推定し、
前記レシピ提案ステップでは、さらに、推定された利用者の嗜好情報を取得し、利用者の好みにあった材料を使用したレシピ情報を提案する、
ことを特徴とする請求項１５に記載の情報提供方法。
【発明の詳細な説明】
【技術分野】
【０００１】
本発明は、レシピ情報を提供する情報提供装置に関する。
【背景技術】
【０００２】
共働きの世帯が増え、仕事、家事が忙しく料理にかける時間が十分に取れない家庭に向けて、料理、食材の買い物を支援する様々なメニュー提案システムが検討されている。例えば、下記特許文献１では、家族の全員が満足する料理の献立作成を支援するため、個人情報を入力し、献立情報と料理レシピ情報、過去に選択した献立の履歴を参照し、カロリー摂取量を計算した献立を作成することにより、献立対象者全員の満足度を向上する方法が開示されている。また、下記特許文献２では、冷蔵庫の在庫、家族情報、健康情報から調理メニューを推論してお勧めする方法が開示されている。また、下記特許文献３では、居住者の構成、居住者の好みなどの家族情報を予め登録して、登録した家族情報と販売店の食材情報からレシピを提案し、販売店の買い回りリスト、割引券を発行し、料理と買い物を支援する方法が開示されている。
【先行技術文献】
【特許文献】
【０００３】
【特許文献１】特開２００１−２４３３２６号公報
【特許文献２】特開２００２−９２１２０号公報
【特許文献３】特開２００２−２０７８６９号公報
【発明の概要】
【発明が解決しようとする課題】
【０００４】
しかしながら、上記従来の技術（特許文献１）によれば、料理の献立作成を支援するためには個人情報の入力が必要であり使い勝手が良くない。また、冷蔵庫の在庫情報と関連したレシピを提案できないため、レシピにしたがったメニューを作成する際は、人手によって在庫と不足食材を確認してから買い物、料理を行う必要がある。このように、手間がかかる、という問題があった。
【０００５】
また、上記従来の技術（特許文献２）によれば、家族の好みに応じたレシピを提案できないため、好みの食材を使用者が別途追加する必要がある、という問題があった。
【０００６】
また、上記従来の技術（特許文献３）によれば、食材の在庫に応じたレシピの提案は行わないため、居住者側の在庫の有効活用は難しい、という問題があった。
【０００７】
また、居住者の好みなどレシピの元データを作成するには、事前に情報を入力する必要があった。
【０００８】
本発明は、上記に鑑みてなされたものであって、事前に情報入力をすることなく、視聴番組に関連する料理のメニュー情報および食材の在庫情報を用いてレシピ情報を提供可能な情報提供装置を得ることを目的とする。
【課題を解決するための手段】
【０００９】
上述した課題を解決し、目的を達成するために、本発明は、利用者が視聴中の番組の情報を収集し、収集した番組情報を用いて番組情報サーバに問い合わせ、前記番組内の料理のメニュー情報を収集する番組情報収集手段と、食材の保管庫の在庫情報を収集する在庫情報収集手段と、前記在庫情報を保存する食材情報管理手段と、前記番組情報収集手段から前記メニュー情報を取得し、前記食材情報管理手段から前記在庫情報を取得し、前記メニュー情報および前記在庫情報に基づいて、該当するメニューのレシピをレシピサーバに問い合わせてレシピ情報を取得し、提案するレシピ情報を決定するレシピ提案手段と、前記レシピ提案手段で決定されたレシピ情報を、表示機能を有する機器に表示するレシピ表示取得手段と、を備えることを特徴とする。
【発明の効果】
【００１０】
本発明によれば、事前に情報入力をすることなく、視聴番組に関連する料理のメニュー情報および食材の在庫情報を用いてレシピ情報を提供できる、という効果を奏する。
【図面の簡単な説明】
【００１１】
【図１】図１は、情報提供システムの構成例を示す図である。
【図２】図２は、実施の形態１におけるレシピ情報を提案する情報提供方法の動作を示すシーケンス図である。
【図３】図３は、食材情報管理部が管理している情報と各構成間で通知される情報を示す図である。
【図４】図４は、実施の形態２におけるレシピ情報を提案する情報提供方法の動作を示すシーケンス図である。
【図５】図５は、実施の形態４におけるレシピ情報を提案する情報提供方法の動作を示すシーケンス図である。
【発明を実施するための形態】
【００１２】
以下に、本発明にかかる情報提供装置の実施の形態を図面に基づいて詳細に説明する。なお、この実施の形態によりこの発明が限定されるものではない。
【００１３】
実施の形態１．
本実施の形態では、利用者が視聴中のＴＶの番組情報、および冷蔵庫あるいは食材を保管する保管庫の在庫情報を収集し、番組情報に関連する料理のレシピ情報と、冷蔵庫あるいは保管庫の在庫情報とに基づいて、メニューのレシピを提案する。
【００１４】
図１は、本実施の形態の情報提供システムの構成例を示す図である。情報提供システムは、レシピ情報を利用者に提案する情報提供装置１０と、レシピ情報を管理するレシピサーバ２０と、番組表等の番組情報を管理する番組情報サーバ３０と、視聴情報の通知、情報提供装置１０が提案するレシピ情報の表示、利用者によるレシピ情報の選択が可能なテレビ（ＴＶ）４０と、情報提供装置１０が提案するレシピ情報の表示、利用者によるレシピ情報の選択が可能な携帯電話５０と、食材を保管する冷蔵庫６０と、から構成される。情報提供装置１０は、インターネットを介して、レシピサーバ２０および番組情報サーバ３０と接続している。
【００１５】
なお、本実施の形態では、ＴＶ４０によって、視聴情報の通知等をしているが、一例であり、セットトップボックス（ＳＴＢ）等によって行ってもよい。また、携帯電話５０については、一例であり、スマートフォン等の他の携帯情報端末であってもよく、また、接続されていなくてもよい。また、冷蔵庫６０については、接続台数が１台であるが、複数台を接続してもよい。また、冷蔵庫６０については、食材の保管場所として常温での保管庫でもよく、食材の保管場所として、冷蔵庫６０および常温での保管庫の両方を情報提供装置１０に接続してもよい。
【００１６】
つぎに、情報提供装置１０の構成について説明する。情報提供装置１０は、番組情報収集部１１と、在庫情報収集部１２と、レシピ提案部１３と、レシピ表示取得部１４と、食材情報管理部１５と、嗜好推定部１６と、を備える。
【００１７】
番組情報収集部１１は、利用者が視聴中のＴＶ番組情報を収集し、収集した番組情報に基づいて、視聴中の番組に関連する番組の情報を番組情報として管理する番組情報サーバ３０に問い合わせ、番組で放映している料理情報（メニュー情報）を収集する。在庫情報収集部１２は、冷蔵庫６０にある食材の在庫情報を収集する。なお、在庫情報収集部１２は、複数の冷蔵庫６０が情報提供装置１０に接続されているときは各冷蔵庫６０から食材の在庫情報を収集し、冷蔵庫６０および常温の保管庫が情報提供装置１０に接続されているときは冷蔵庫６０および常温の保管庫から食材の在庫情報を収集する。レシピ提案部１３は、番組情報収集部１１から取得したメニュー情報を利用し、メニューに該当するレシピ情報を管理するレシピサーバ２０に問い合わせ、対応するレシピ情報を取得する。また、レシピ提案部１３は、冷蔵庫６０の在庫情報から、在庫によってメニューができるかどうかを確認し、利用者に提案するレシピを決定する。レシピ表示取得部１４は、レシピ提案部１３が決定したレシピ情報をＴＶ４０、携帯電話５０に表示すると共に、利用者によってＴＶ４０または携帯電話５０で選択されたレシピ情報を取得する。食材情報管理部１５は、取得したレシピ情報を保存する記憶部である。嗜好推定部１６は、冷蔵庫６０からの食材の出し入れの頻度を監視する。
【００１８】
ここで、在庫情報収集部１２では、冷蔵庫６０の在庫情報を管理する必要があるが、食材の在庫情報の識別は、冷蔵庫６０に設置したカメラ、食材に貼付したＲＦＩＤ（Radio  Frequency  IDentification）による読み取りを行う既存技術で対応可能である。ＲＦＩＤの既存技術としては、例えば、特開２００１−３１９０４３号公報に記載されている。
【００１９】
なお、レシピ表示取得部１４は、冷蔵庫６０に表示機能がある場合には、ＴＶ４０、携帯電話５０と同様に冷蔵庫６０にレシピ情報を表示してもよく、また、自装置（情報提供装置１０）で表示装置を備えている場合には、自装置の表示装置にレシピ情報を表示してもよい。レシピ表示取得部１４は、ＴＶ４０、携帯電話５０および冷蔵庫６０との間で、無線通信または有線通信により接続して相互に通信を行うことにより、レシピ情報の表示、選択されたレシピ情報を取得することができる。
【００２０】
つづいて、情報提供装置１０において、利用者が視聴中の番組で放映されている料理情報と、冷蔵庫６０にて保管されている在庫情報とに基づいて、レシピ情報を提案する動作について説明する。図２は、本実施の形態におけるレシピ情報を提案する情報提供方法の動作を示すシーケンス図である。
【００２１】
まず、冷蔵庫６０では、食材の在庫情報を定期的に監視する（ステップＳ１０１）。
【００２２】
在庫情報収集部１２は、冷蔵庫６０の在庫情報を収集し（ステップＳ１０２）、食材情報管理部１５の在庫情報テーブルを更新する（ステップＳ１０３）。
【００２３】
番組情報収集部１１は、利用者が視聴中のＴＶ４０のチャンネル情報を収集する（ステップＳ１０４）。ここで、ＴＶ４０と情報提供装置１０との間は、ネットワークで繋がっていてもよいし、リモコンの信号を番組情報収集部１１が受信することでもよい。番組情報収集部１１は、いずれかの方法で視聴中の番組情報を受信する。
【００２４】
番組情報収集部１１は、収集したチャンネル情報に基づいて、番組情報サーバ３０から関連する番組表などの番組情報から、番組で放映している料理のメニュー情報を収集する（ステップＳ１０５）。
【００２５】
番組情報収集部１１は、レシピ提案部１３に対して、収集した料理のメニュー情報を通知する（ステップＳ１０６）。
【００２６】
レシピ提案部１３は、食材情報管理部１５が管理する在庫情報テーブルから在庫情報を確認し（ステップＳ１０７）、番組情報収集部１１から通知された料理のメニュー情報に対応するレシピ情報をレシピサーバ２０から取得する（ステップＳ１０８）。
【００２７】
レシピ提案部１３は、在庫情報とレシピ情報に含まれる材料情報から不足があるかどうかを確認し、提案するレシピを決定し（ステップＳ１０９）、決定したレシピ情報をレシピ表示取得部１４へ通知する（ステップＳ１１０）。ここで、レシピ提案部１３は、提案するレシピ情報に含まれる材料情報に対応する在庫に不足がないことを確認して、決定したレシピ情報をレシピ表示取得部１４へ通知する。または、レシピ提案部１３は、提案するレシピ情報に含まれる材料情報に対応する在庫が不足する場合は、レシピ情報とともに、不足する食材情報も併せてレシピ表示取得部１４へ通知する。
【００２８】
レシピ情報の通知を受けたレシピ表示取得部１４は、情報提供装置１０に接続しているＴＶ４０、携帯電話５０、表示機能を備えている場合には冷蔵庫６０にレシピ情報、不足があれば不足する食材情報を表示、提案する（ステップＳ１１１）。なお、レシピ表示取得部１４は、ここでは、レシピ情報の表示先をＴＶ４０、携帯電話５０、冷蔵庫６０としているが、情報提供装置１０に接続でき、表示機能を持つデバイスであれば、上記の機器に限定するものではない。
【００２９】
以上説明したように、本実施の形態によれば、情報提供装置１０では、番組情報収集部１１が、利用者が視聴中のＴＶ番組情報を収集し、収集した番組情報に基づいて、視聴中の番組に関連する番組の情報を番組情報サーバ３０に問い合わせ、番組で放映している料理のメニュー情報を収集し、在庫情報収集部１２が、冷蔵庫６０の在庫情報を収集し、レシピ提案部１３が、番組情報収集部１１から取得したメニュー情報を利用し、メニューに該当するレシピ情報を管理するレシピサーバ２０に問い合わせ、対応するレシピ情報を取得するとともに、在庫情報収集部１２より取得した在庫情報から、在庫によってメニューができるかどうかを確認し、利用者に提案するレシピを決定し、レシピ表示取得部１４が、決定したレシピ情報をＴＶ４０、携帯電話５０、冷蔵庫６０に表示することにより、利用者が視聴中の番組で放映されている料理のメニュー情報と冷蔵庫６０にて保管している在庫情報とに基づいてレシピ情報を提案する。これにより、利用者がＴＶの視聴中に気になった料理のメニューに関するレシピがわかり、食事の際のメニュー検討における支援を行うことができる。また、予め利用者による料理情報の入力を必要とせずにレシピ情報の提案を実現でき、使い勝手を向上することができる。
【００３０】
また、在庫情報を確認してレシピ情報を提案することにより、在庫に不足がない場合には、買い物に行かなくても料理が行えることが分かるため、買い物に行く時間を他に使うことができるため、時間を有効に使うことができる。また、在庫に不足がある場合には、不足の食材をお知らせすることにより、買い物にて何を購入すればよいのか分かるため、買い物の支援も行うことができる。
【００３１】
実施の形態２．
本実施の形態では、レシピを提案する際に過去に選択されたレシピの履歴情報を確認し、最近選択していないメニューであるかどうかを判定することにより、同じレシピを提案することを防止する動作について説明する。
【００３２】
具体的には、レシピ提案部１３は、利用者によって過去に選択されたレシピ情報の履歴を管理する食材情報管理部１５からレシピ情報の履歴を取得することにより、利用者に対して同じレシピの提案を防止する。
【００３３】
図３は、本実施の形態において食材情報管理部１５が管理している情報と各構成間で通知される情報を示す図である。番組情報収集部１１、在庫情報収集部１２、レシピ提案部１３、レシピ表示取得部１４、食材情報管理部１５、および嗜好推定部１６の関係を示す。食材情報管理部１５は、在庫情報収集部１２が収集した冷蔵庫６０の在庫情報を管理する在庫情報テーブル１５１と、嗜好推定部１６が記録した冷蔵庫６０の在庫の出し入れの情報を管理する食材分類テーブル１５２と、レシピ提案部１３がレシピ提案後に利用者によって選択された過去のレシピ情報の履歴を管理する履歴情報テーブル１５３と、を備える。
【００３４】
在庫情報テーブル１５１は、冷蔵庫６０に保管されている食材を管理するテーブルである。食材分類テーブル１５２は、分類毎に食材の種類と食材の出し入れによる使用頻度を管理するテーブルである。履歴情報テーブル１５３は、利用者によって過去に選択されたレシピ情報の履歴であり、分類、メニュー、材料、選択日時を管理するテーブルである。
【００３５】
つづいて、情報提供装置１０において、利用者が視聴中の番組で放映されている料理情報と、冷蔵庫６０にて保管されている在庫情報とに基づいて、レシピ情報を提案する場合に、同じレシピを提案することを防止する動作について説明する。図４は、本実施の形態におけるレシピ情報を提案する情報提供方法の動作を示すシーケンス図である。
【００３６】
ステップＳ１０１からステップＳ１０７までの動作は、実施の形態１（図２参照）と同様である。
【００３７】
レシピ提案部１３は、食材情報管理部１５が管理する在庫情報テーブル１５１から在庫情報を確認後（ステップＳ１０７）、つぎに、食材情報管理部１５が管理する履歴情報テーブル１５３から過去に利用者によって選択されたレシピ情報の履歴を確認する（ステップＳ２０１）。レシピ提案部１３は、例えば、ビーフカレーのレシピ提案時に、図３に示す履歴情報テーブル１５３にはビーフカレーは含まれていないため、過去に提案した実績がないメニューと判定できる。レシピ提案部１３は、番組情報収集部１１から通知された料理のメニュー情報について、食材情報管理部１５の履歴情報テーブル１５３から過去に利用者によって選択されていないことを確認し、対応するレシピ情報をレシピサーバ２０から取得する（ステップＳ１０８）。
【００３８】
以降、ステップＳ１０９からステップＳ１１１までの動作は、実施の形態１（図２参照）と同様である。このとき、レシピ提案部１３は、レシピの決定において（ステップＳ１０９）、図３の履歴情報テーブル１５３が示すように、レシピ情報の履歴として、メニューの分類、メニュー、材料、選択日時が記載され、選択した順序が識別できるため、同一のメニューを連続して提案することを避けることができる。なお、レシピ提案部１３では、同一のメニューであっても最も、選択された日付が古い場合、また、ある一定の期間経過した場合には、再度レシピとして提案してもよい。レシピ提案部１３は、規定された期間において、選択されていないレシピ情報を提案することで、同一のメニューを連続して提案することを避けることができる。
【００３９】
レシピ表示取得部１４は、ＴＶ４０、携帯電話５０、冷蔵庫６０にレシピ情報を表示、提案すると（ステップＳ１１１）、ＴＶ４０、携帯電話５０、冷蔵庫６０のいずれかを介して利用者によって選択されたレシピの情報を取得する（ステップＳ２０２）。そして、レシピ表示取得部１４は、利用者によって選択されたレシピ情報を食材情報管理部１５の履歴情報テーブル１５３に格納し、履歴を更新する（ステップＳ２０３）。
【００４０】
以上説明したように、本実施の形態によれば、情報提供装置１０では、レシピ表示取得部１４が、利用者によって選択されたレシピ情報を食材情報管理部１５に格納し、レシピ提案部１３が、食材情報管理部１５から利用者によって過去に選択されたレシピ情報の履歴を取得し、過去に履歴がないか、最近選択していないメニューであるかどうかを確認することで、利用者に対して同じレシピの提案を防止する。これにより、履歴を利用しない場合と比較して、同じメニューを連続して提案することがないため、常に新しいメニューを提案し続けることが可能となり、満足度の高い有益な情報を提示することができる。
【００４１】
実施の形態３．
本実施の形態では、レシピを提案する際に食材の不足によりレシピ通りのメニューが作成できない場合に、在庫情報を利用して作成可能なレシピをレシピサーバ２０に問い合わせ、他の食材を利用して作成可能なメニューにアレンジしてレシピを提案する動作について説明する。
【００４２】
具体的に、レシピ提案部１３は、冷蔵庫６０の在庫情報を確認し、在庫の不足によってレシピ通りのメニューが作成できない場合に、在庫情報を利用して作成可能なレシピ情報をレシピサーバ２０に問い合わせ、他の食材を利用して作成可能なメニューにアレンジしてレシピ情報を提案する。また、レシピ提案部１３は、レシピサーバ２０にて管理しているレシピ情報の評判に基づいて、評価の高いレシピ情報を提案する。
【００４３】
つづいて、情報提供装置１０において、利用者が視聴中の番組で放映されている料理情報と、冷蔵庫６０にて保管されている在庫情報とに基づいて、レシピ情報を提案する場合に、食材の不足によりレシピ通りのメニューが作成できないときは他の食材を利用して作成可能なメニューにアレンジしてレシピを提案する動作について説明する。ここでは、食材情報管理部１５が管理している情報と各構成間で通知される情報を示す図３を用いて説明する。なお、動作としては、図２または図４におけるステップＳ１０７〜Ｓ１０９に相当する。
【００４４】
レシピ提案部１３は、番組情報収集部１１からメニュー情報、在庫情報収集部１２から在庫情報を取得後、在庫の不足によってレシピ通りのメニューが作成できない場合、在庫情報を利用して作成可能なレシピをレシピサーバ２０に問い合わせ、在庫にある他の食材を代わりに利用することで作成可能なメニューを取得する。例えば、図３では、メニューがビーフカレーであり、レシピ取得後、材料として肉があるが、在庫テーブルから肉類が無い（不足している）ことがわかる。図３のレシピ提案部１３の上部に表示している矢印がレシピサーバ２０から取得できた情報であることを示す。
【００４５】
この場合、レシピ提案部１３は、レシピサーバ２０に肉類を除いたメニューを問い合わせ、代替メニューである野菜カレー、ポテトサラダのレシピ情報を取得することができる。図３のレシピ提案部１３の下部に表示している矢印がレシピ提案部１３からレシピサーバ２０へ代替メニューの取得要求であることを示す。
【００４６】
レシピ情報取得後、レシピ提案部１３は、本来のメニューのレシピだけでなく、取得した代替メニューのレシピ情報をレシピ表示取得部１４に通知する（ステップＳ１１０）。図３のレシピ提案部１３からレシピ表示取得部１４へ通知している最下部の矢印がその動作を示す。以降の動作は実施の形態１または２と同様である。
【００４７】
なお、レシピサーバ２０では、メニュー、材料等の情報を管理していればどのような形式のデータを管理していてもよいが、履歴情報テーブル１５３に記載のある情報は最低限保有しているものとする。
【００４８】
また、レシピ提案部１３では、レシピサーバ２０への問い合わせ時に、メニューと材料だけでなく、レシピの評価も取得条件に入れることで、同様のメニューにおいて、評価の高いレシピ情報を取得することができる。ここで、評価とは、レシピサーバ２０のテーブルに評価基準（順位）が記載されていることを想定し、例えば、レストランの紹介サイトにある星の数でもよいし、ＳＮＳ（Social  Networking  Service）にあるいいねボタン押下のユーザ数でもよいし、レシピサイトの人気順の情報のいずれの情報でもよい。レシピ提案部１３は、取得した代替メニューのレシピ情報をレシピ表示取得部１４に通知する際に（ステップＳ１１０）、併せて評価情報を通知してもよい。
【００４９】
以上説明したように、本実施の形態によれば、情報提供装置１０では、レシピ提案部１３が、冷蔵庫６０の在庫情報を確認し、在庫の不足によってレシピ通りのメニューが作成できない場合に、在庫情報を利用して作成可能なレシピをレシピサーバ２０に問い合わせ、他の食材を利用して作成可能なメニューにアレンジしてレシピを提案する。これにより、在庫の食材の有効活用を図ることができる。
【００５０】
また、取得したメニュー情報、該当するレシピ情報、冷蔵庫６０の在庫情報を確認し、レシピサーバ２０上に記録された評価の高いレシピ情報も提案することにより、提案料理の質も考慮した提案が可能となり、利用者が認識していなかった新しいメニューのレシピも提案することができる。
【００５１】
実施の形態４．
本実施の形態では、食材の出し入れの頻度を監視して利用者の嗜好を推定し、レシピサーバ２０へ問い合わせ、視聴中の番組で放映されている料理のレシピ情報をそのまま表示するだけでなく、利用者の好みの材料を取り入れて嗜好にあったレシピを提案する動作について説明する。
【００５２】
具体的に、嗜好推定部１６は、食材を保管する冷蔵庫６０から食材の出し入れの頻度を監視し、利用者の嗜好を推定し、レシピ提案部１３は、利用者の好みにあった材料を使用したレシピ情報を提案する。
【００５３】
つづいて、情報提供装置１０において、利用者が視聴中の番組で放映されている料理情報と、冷蔵庫６０にて保管されている在庫情報とに基づいて、レシピ情報を提案する場合に、食材の出し入れの頻度を監視して利用者の嗜好を推定し、利用者の好みの材料を取り入れて嗜好にあったレシピを提案する動作について説明する。図５は、本実施の形態におけるレシピ情報を提案する情報提供方法の動作を示すシーケンス図である。
【００５４】
ステップＳ１０１およびステップＳ１０２の動作は、実施の形態１（図２参照）と同様である。
【００５５】
在庫情報収集部１２は、在庫を確認し、在庫情報から食材の出し入れ回数を監視する（ステップＳ３０１）。在庫情報収集部１２は、冷蔵庫６０から定期的に在庫情報を収集することで、食材の出し入れ回数を監視し、収集した在庫情報を更新する（ステップＳ３０２）。在庫情報収集部１２が監視する食材情報は、食材情報管理部１５にて管理する。例えば、図３に示す食材分類テーブル１５２にて情報を管理する。食材分類テーブル１５２では、分類、食材、回数、の情報を管理しており、各食材について出し入れされた回数を記録することができる。
【００５６】
在庫情報収集部１２は、嗜好推定部１６に対して食材出し入れ回数の更新を通知する（ステップＳ３０３）。在庫情報収集部１２は、嗜好推定部１６において嗜好の推定が随時できるようにするため、在庫に変更があればその都度、嗜好推定部１６に通知する。
【００５７】
通知を受けた嗜好推定部１６は、食材情報管理部１５の食材分類テーブル１５２から食材の出し入れ回数を確認し、履歴情報テーブル１５３に記載の材料に登録されている材料の頻度と併せて、利用者の嗜好を推定する（ステップＳ３０４）。図３に示す場合、食材情報管理部１５において、食材分類テーブル１５２では肉類より野菜類の出し入れが多く、また、履歴情報テーブル１５３でもレシピとして選択した履歴として肉類より野菜類の出し入れが多いため、嗜好推定部１６では、まず、好みの順序として分類を野菜として優先的に通知し、さらに食材についての情報があれば併せて通知する。例えば、図３では、食材分類テーブル１５２においてジャガイモとにんじんの出し入れが多く、また、履歴情報テーブル１５３の履歴でもよく登場する材料としてジャガイモ、にんじんが多いことから、嗜好推定部１６は、食材としてジャガイモ、にんじんを通知する。嗜好推定部１６は、通知する嗜好（好み）が複数ある場合、複数の嗜好情報を通知してもよい。嗜好推定部１６は、例えば、上位からいくつまで通知するか任意に設定することで、通知する数を決定することができる。
【００５８】
嗜好推定部１６は、推定した利用者の嗜好情報をレシピ提案部１３に通知する（ステップＳ３０５）。
【００５９】
レシピ提案部１３は、嗜好推定部１６からの通知により利用者の嗜好情報を確認し、レシピ提案時の条件とする（ステップＳ３０６）。
【００６０】
なお、本実施の形態では、利用者の嗜好の推定を情報提供装置１０の嗜好推定部１６で実施しているが、これに限定するものではなく、嗜好推定の機能を、冷蔵庫６０で実施してもよい。
【００６１】
以降、ステップＳ１０４からステップＳ１１１までの動作は、実施の形態１（図２参照）と同様である。このとき、レシピ提案部１３では、収集した在庫情報、嗜好情報、メニュー情報に対応するレシピ情報をレシピサーバ２０から取得し（ステップＳ１０８）、レシピを決定する（ステップＳ１０９）。
【００６２】
以上説明したように、本実施の形態によれば、情報提供装置１０では、嗜好推定部１６が、食材を保管する冷蔵庫６０からの食材の出し入れ、過去に選択されたレシピ情報の履歴から頻度を監視し、利用者の嗜好を推定し、レシピ提案部１３が、利用者の嗜好情報を踏まえてレシピサーバ２０へ問い合わせることで、ＴＶ４０で視聴中のものだけでなく、冷蔵庫６０内の在庫から作成可能なメニューをアレンジ（材料を変える）することにより、利用者の嗜好に合ったメニューを提案する。これにより、好みでないメニューの提案を避け、満足度の高い有益な情報を提示することができる。
【００６３】
また、実施の形態１から４のいずれも提案するレシピの情報を、事前に居住者による入力や、登録を行うことなく実現可能なため、使い勝手の良いシステムを構築することができる。
【産業上の利用可能性】
【００６４】
以上のように、本発明にかかる情報提供装置は、利用者に有益な情報の提供に有用であり、特に、料理のレシピ情報の提供に適している。
【符号の説明】
【００６５】
１０  情報提供装置、１１  番組情報収集部、１２  在庫情報収集部、１３  レシピ提案部、１４  レシピ表示取得部、１５  食材情報管理部、１６  嗜好推定部、２０  レシピサーバ、３０  番組情報サーバ、４０  テレビ（ＴＶ）、５０  携帯電話、６０  冷蔵庫、１５１  在庫情報テーブル、１５２  食材分類テーブル、１５３  履歴情報テーブル。
【図１】
2015153286.tif 000003
【図２】
2015153286.tif 000004
【図３】
2015153286.tif 000005
【図４】
2015153286.tif 000006
【図５】
2015153286.tif 000007